(57)【要約】【課題】軸継手等の芯出し調整作業時に用いる芯出し治具であって、ダイヤルゲージの安定した固定が可能となる。【解決手段】  相互に芯出し調整されるべき一方の軸継手１００にローラーチェーン３を巻回して、ダイヤルゲージ１０４を保持するベース２をローラーチェーン３によって締結固定するようにした芯出し治具であって、ベース２の中空内部に螺着する締上げボルト４を有し、ローラーチェーン３の一端を締上げボルト４に連結するとともに、その他端側を前記ベースの適所に掛止し、締上げボルト４を締め上げてローラーチェーン３を緊締することを特徴とする。【選択図】図５
0003116488.tif 000002
【実用新案登録請求の範囲】
【請求項１】
相互に芯出し調整されるべき一方の軸継手にローラーチェーンを巻回して、ダイヤルゲージを保持するベースを前記ローラーチェーンによって締結固定するようにした芯出し治具であって、
前記ベースの中空内部に該ベースに螺着する締上げボルトを有し、前記ローラーチェーンの一端を前記締上げボルトに連結するとともに、その他端側を前記ベースの適所に掛止し、前記締上げボルトを締め上げて前記ローラーチェーンを緊締することを特徴とする芯出し治具。
【請求項２】
前記締上げボルトが螺合する前記ベースのネジ部に、該締上げボルトの緩みを抑止する緩み止めリング部材を有することを特徴とする請求項１に記載の芯出し治具。
【請求項３】
前記ベースの一側に前記ネジ部を設け、前記ベースの他側の前記ネジ部の対応部位に、前記締上げボルトを挿着するための貫通穴を設けたことを特徴とする請求項２に記載の芯出し治具。
【考案の詳細な説明】
【技術分野】
【０００１】
本考案は、回転機等に使用される連結器具、特に軸継手の芯出し治具に関する。
【背景技術】
【０００２】
回転機を有する機械においては、動力伝達のために駆動軸と従動軸とを軸継手により、連結することは一般的に行われている。また、効率の良い動力伝達や軸の偏心、偏角による破損等を考慮すると駆動軸と従動軸とは軸心が一致していることが要求される。
【０００３】
一方で、軸芯を完全に一致させるように調整することは極めて困難である。そこで、軸心誤差を吸収させるように設計された所謂、たわみ軸継手等の軸継手が工夫されている。こういった誤差吸収型の軸継手であっても、軸心が一致していることが要求されることには変わりない。
【０００４】
つぎに、一般的に行われている軸継手の芯出し調整の例を図６を基に説明する。図６において、１００はフランジ型軸継手（駆動側）、１０１はフランジ型軸継手（従動側）、１０２はフランジ型軸継手１００とキー等で固定させる駆動軸、１０３は前記同様にキー等でフランジ型軸継手１０１と固定させる従動軸である。
【０００５】
１０４はダイヤルゲージであり、その下端よりスピンドル１０５が延出し、スピンドル１０５の先端には測定子１０６が設けられている。また、ダイヤルゲージ１０４は、クランプ１０７の一方の端部で固定される。１０８はフランジ型軸継手１００に磁力により吸着するマグネットベースであり、マグネットベース１０８の上面にはポール１０９が立設されている。また、ポール１０９にはクランプ１０７の他方の端部が固定される。
【０００６】
芯出し調整の方法は、測定子１０６をフランジ型軸継手１０１に着接し、フランジ型軸継手１０１を摺接するように回転させる。その際、ダイヤルゲージ１０４は軸心のふれで目盛が振れ、そのふれの値が許容値内に入るように調整していく。
【０００７】
また、従来技術として、特許文献１に軸継手に当接するベース部の円周方向にボルト挿入用の貫通孔を設け、チェーンと連結させたボルトを貫通孔に挿入し、貫通孔端部の外縁でナットにより締め付けることで固定する軸継手の芯出し用治具が開示されている。この技術によると、安定した固定が可能である。
【特許文献１】実開昭６１−３２９０８
【考案の開示】
【考案が解決しようとする課題】
【０００８】
軸継手の芯出し調整作業において、一般的に行われているマグネットによる固定方法は、十分に安定した固定とは言えず、固定位置や軸継手の形状によっては非常に不安定な固定となり、測定中の誤差や脱落の問題が起こりうる。
【０００９】
また、特許文献１で開示された従来技術は、安定した固定は可能であるが、ボルト及びナットを使用し締め付けているため、緩みが発生する可能性がある。また、その構成上、ある程度のスペースをベース部分に確保しなければならず、治具全体が大きくなってしまい、スペースに制約がある場合等に取扱性に優れない場合が考えられる。
【００１０】
本考案は係る実情に鑑み、常に精度の高い芯出し調整作業を保証するとともに、ダイヤルゲージの安定した固定を可能とし、また、簡易かつコンパクトで使い勝手に優れた軸継手等の芯出し治具を提供することを目的とする。
【課題を解決するための手段】
【００１１】
本考案は、相互に芯出し調整されるべき一方の軸継手にローラーチェーンを巻回して、ダイヤルゲージを保持するベースを前記ローラーチェーンによって締結固定するようにした芯出し治具であって、前記ベースの中空内部に該ベースに螺着する締上げボルトを有し、前記ローラーチェーンの一端を前記締上げボルトに連結するとともに、その他端側を前記ベースの適所に掛止し、前記締上げボルトを締め上げて前記ローラーチェーンを緊締することを特徴とする。
【００１２】
また、前記締上げボルトが螺合する前記ベースのネジ部に、該締上げボルトの緩みを抑止する緩み止めリング部材を有することを特徴とする。
【００１３】
また、前記ベースの一側に前記ネジ部を設け、前記ベースの他側の前記ネジ部の対応部位に、前記締上げボルトを挿着するための貫通穴を設けたことを特徴とする。
【考案の効果】
【００１４】
本考案によると、軸継手の芯出し調整作業時において、ダイヤルゲージの安定した固定が可能となり、作業中の測定誤差や脱落の問題を解消し、作業性の向上が図れる。また、簡易かつコンパクトな構造となり、取扱性向上やコストダウンが図れる。
【考案を実施するための最良の形態】
【００１５】
以下、図１〜６を基に本考案の好適な実施の形態を説明する。なお、図面の説明に際し、図１〜６において、共通部分に関しては同符号にて説明する。
【００１６】
図１は芯出し治具１を示す正面図である。図１において、芯出し治具１の基本構成を概略説明すると、２は軸継手等の相互に芯出しを必要とされる１対の円筒体の一方に当接するベースであり、後述するように中空構造を有している。３はベース２と締上げボルト４で締結されている巻回部材たるローラーチェーンである。ローラーチェーン３はピン（図示せず）によって複数の駒を連結することによって構成される。締上げボルト４は、ベース２の中空内部でローラーチェーン３と締結される。５はローラーチェーン３の適所が掛止されるフックである。ローラーチェーン３を円筒体に巻きつける際、基本的には最も緩みが少なくなる駒が選ばれ、その駒をフック５に掛止する。
【００１７】
図２はベース２の上面図、正面図及び側面図を示す。図２において、ベース２は略平行に離隔されて並んだ側枠６、７と上枠８及び下枠９とからなる中空の箱型をしている（図２（ｃ））。また、上枠８からポール１０９が立設されている。側枠７には締上げボルト４と螺合するナット部１０が固着している。また、側枠６にはナット部１０の対応部位に貫通穴１１（図４）が設けられている。締上げボルト４を貫通穴１１から挿通し（図２（ｃ）、矢印Ａ）、ナット部１０と螺合させることで締上げボルト４を装着するようになっている。なお、締上げボルト４としては、六角穴付ボルト等が好適である。また、円筒体と安定的に固定できるように側枠６，７の中央下部に形成された切込１２を設け、切込１２の下端角部の当接部１３でフランジ型軸継手１００の円周面軸心方向で線接触に近いかたちで当接する。
【００１８】
図３は、ナット部１０の断面図を示す。図３において、１４はフリクションリングであり、ナット部１０のネジ部１５の一端側に固定され一体化されている。フリクションリング１４を設けることで、ナット部１０に締上げボルト４を螺合した際、バネ作用により応力が発生し、締上げボルト４を押さえつけるので摩擦トルクが増大し、緩み止め防止となる。嵌合部１６を側枠７に設けられた嵌合穴１７（図４）に嵌合させ、側枠７と段部Bを突き当てた状態で溶着させる。また、本実施の形態においては、一般的に使用されているゆるみ止めナットに加工を施している。
【００１９】
ここで、図４に締上げボルト４をベース２に螺合させた状態の断面図を示す。締上げボルト４は、少なくとも一方の端部にネジ部１８を持ち、ネジ部１８はナット部１０と螺合される。また、締上げボルト４は凹状の切込加工がなされ、その略中央にはネジ穴１９が加工されており、ローラーチェーン３とネジ２０により締結される。締上げボルト４は図２に示す矢印Ａ方向にネジ部１９側から貫通穴１１に通され、ナット部１０において螺合する（図２（ｃ）、矢印Ａ）。
【００２０】
ローラーチェーン３の一端はネジ２０により締上げボルト４に締結され、C部においてネジ２０が締上げボルト４と溶着される。また、ローラーチェーン３は締上げボルト４に時計回りに巻き込むように締結され（図１、破線）、実際に円筒体にローラーチェーン３を巻きつけた際、締上げボルト４を回動させれば、緊締することが可能となるように構成される。なお、この際、締上げボルトのネジ溝は右回りである。
【００２１】
図５は、フランジ型軸継手１００に芯出し治具を固定させた具体例を示す図である。１０４はダイヤルゲージであり、クランプ１０７を介しポール１０９に固定されている。ベース２の当接部１３をフランジ型軸継手１００の円周と当接させ、ベース２側部から延出したローラーチェーン３をフランジ型軸継手１００の円周に巻回させ、ローラーチェーン３の一端の駒をフック５に掛止する。また、このときローラーチェ−ン３をフック５に掛止する位置を調整するため、締上げボルト４を回動調整することで、緊締が可能となる。
【００２２】
以上のように、ベース２にナット部１０を設け、ローラーチェーン３をベース２に締結することで、強固で安定した締め付けが可能となり、作業中の測定誤差や脱落の問題を解消できる。また、簡易かつコンパクトな構造なため、作業性の向上及びコストダウンを図ることができる。
【００２３】
また、本実施の形態において、ゆるみ止めナット部は既存のゆるみ止めナットに加工を加えベースに溶着させているが、ベースに直接螺設し、フリクションリングをカシメ加工によって固定させる等様々な態様が可能である。
【図面の簡単な説明】
【００２４】
【図１】本考案の実施の形態に係る芯出し治具の構造を示す正面図である。
【図２】本考案の実施の形態に係る芯出し治具の構造を示す上面図、正面図及び側面図である。
【図３】本考案の実施の形態に係る芯出し治具の要部断面図である。
【図４】本考案の実施の形態に係る芯出し治具の要部断面図である。
【図５】本考案の実施の形態に係る芯出し治具の具体的な使用例を示す図である。
【図６】ダイヤルゲージの具体的な使用方法を示す図である。
【符号の説明】
【００２５】
１    芯出し治具
２    ベース
３    ローラーチェーン
４    締上げボルト
５    フック
６    側枠
７    側枠
８    上枠
９    下枠
１０    ナット部
１１    貫通穴
１２    切込
１３    当接部
１４    フリクションリング
１５    ネジ部
１６    嵌合部
１７    嵌合穴
１８    ネジ部
１９    ネジ穴
２０    ネジ
１００    フランジ型軸継手
１０１    フランジ型軸継手
１０２    駆動軸
１０３    従動軸
１０４    ダイヤルゲージ
１０５    スピンドル
１０６    測定子
１０７    クランプ
１０８    マグネットベース
１０９    ポール
【図１】
0003116488.tif 000003
【図２】
0003116488.tif 000004
【図３】
0003116488.tif 000005
【図４】
0003116488.tif 000006
【図５】
0003116488.tif 000007
【図６】
0003116488.tif 000008